(57)【要約】      （修正有）【課題】排水管を洗浄する経路に屈曲部が存在しても、ホースが円滑に移動できるようにする。【解決手段】高層建物の屈曲部を有する排水管１０４を、ホース１４を通気口１１０から挿入し、排水管洗浄装置１０によって排水管１０４内で上下に移動させながら高圧洗浄水を洗浄ヘッド１６から噴射して洗浄する。ホース１４の移動を低摩擦化するガイド管２２を、排水管１０４の通気口１１０から屈曲部を介して上下の直線部に至る経路に挿入して保持し、ホース１４を、ガイド管２２の後端から挿入して排水管１０４の最下部まで引き下し、高圧洗浄水を洗浄ヘッド１６から噴射させながら引き上げて排水管１０４を洗浄する。【選択図】図１
2013231338.tif 000002
【特許請求の範囲】
【請求項１】
高層建物の上下方向に配管され、屈曲部を介して前記高層建物の屋上に開口した通気口に連通する排水管を、先端に洗浄ヘッドを設けたホースを前記通気口から挿入し、前記ホースを前記排水管内で上下に移動させながら前記高圧洗浄水を前記洗浄ヘッドから噴射して洗浄する高層建物の排水管洗浄方法に於いて、
前記通気口から前記屈曲部を介して上下方向の直線部に至る経路にフレキシブルなガイド管を挿入して保持し、
前記ホースを、前記ガイド管の中を通して前記排水管の直線部へ挿入し、
前記ホースを、前記高圧洗浄水を前記洗浄ヘッドから噴射させながら移動して前記排水管を洗浄する、
ことを特徴とする高層建物の排水管洗浄方法。
【請求項２】
請求項１記載の排水管洗浄方法に於いて、前記ガイド管は、管外面を低摩擦化して前記排水管に対する挿入抵抗を低減すると共に、管内面を低摩擦化して前記ホースの通過抵抗を低減することを特徴とする高層建物の排水管洗浄方法。
【請求項３】
請求項１記載の排水管洗浄方法に於いて、前記ガイド管は、後端部側に、ワイヤの操作により先端の向きを操作する操作部を備えたことを特徴とする高層建物の排水管洗浄方法。
【請求項４】
請求項１記載の排水管洗浄方法に於いて、前記ガイド管は、内周面にボール列を配置した複数の環状支承体を、可撓性チューブにより連続して連結したことを特徴とする高層建物の排水管洗浄方法。
【請求項５】
請求項１記載の排水管洗浄方法に於いて、前記ガイド管は、内周面にボール列を配置した複数の環状支承体を、可撓性チューブにより連続して連結したことを特徴とする高層建物の排水管洗浄方法。
【請求項６】
請求項５記載の排水管洗浄方法に於いて、前記ガイド管は、前記複数の環状支承体の軸方向に設けた１又は複数の貫通孔の各々に挿通配置した操作ワイヤを進退操作して、前記ガイド管の先端を操向することを特徴とする高層建物の排水管洗浄方法。
【請求項７】
請求項１記載の排水管洗浄方法に於いて、前記ガイド管は、可撓性を有する材料で形成された蛇腹構造を有し、前記蛇腹構造の内壁及び外壁を低摩擦化コーティングしたことを特徴とする高層建物の排水管洗浄方法。
【請求項８】
請求項７記載の排水管洗浄方法に於いて、前記ガイド管は、前記蛇腹構造の大径部に金属リングを埋設したことを特徴とする高層建物の排水管洗浄方法。
【請求項９】
高層建物の屋上に開口した排水管の通気口から屈曲部を介して上下方向の直線部に至る経路に挿入して保持し、先端に洗浄ヘッドを設けたホースを通過させるガイド管に於いて、
前記排水管に挿入可能な所定の外径と前記排水管の通気口から屈曲部を介して直線部に至る所定の長さを持つフレキシブルな管本体と、
前記管本体の外周面を低摩擦化して前記排水管に対する挿入抵抗を低減する外部低摩擦部と、
前記管本体の内周面を低摩擦化して前記ホースの通過抵抗を低減する内部低摩擦部と、
を備えたことを特徴とするガイド管。
【請求項１０】
請求項９記載のガイド管に於いて、前記管本体の後端部側に、ワイヤの操作により先端の向きを操作する操作部を備えたことを特徴とするガイド管。
【請求項１１】
請求項９記載のガイド管に於いて、前記管本体の後端部側に、ワイヤの操作により先端の向きを操作する操作部を備えたことを特徴とするガイド管。
【請求項１２】
請求項９記載のガイド管に於いて、前記管本体は、内周面にボール列を配置した複数の環状支承体を、可撓性チューブにより連続して連結したことを特徴とするガイド管。
【請求項１３】
請求項９記載のガイド管に於いて、前記管本体は、内周面にボール列を配置した複数の環状支承体を、可撓性チューブにより連続して連結したことを特徴とするガイド管。
【請求項１４】
請求項１３記載のガイド管に於いて、前記管本体を構成する複数の環状支承体の軸方向に設けた１又は複数の貫通孔の各々に挿通配置した操作ワイヤを進退操作して、前記管本体の先端を操向することを特徴とするガイド管。
【請求項１５】
請求項９記載のガイド管に於いて、前記管本体は、可撓性を有する材料で形成された蛇腹構造を有し、前記蛇腹構造の外壁及び内壁を低摩擦化コーティングしたことを特徴とするガイド管。
【請求項１６】
請求項１５記載のガイド管に於いて、前記蛇腹構造の大径部に金属リングを埋設したことを特徴とするガイド管。
【発明の詳細な説明】
【技術分野】
【０００１】
本発明は、集合住宅等の高層建物に設置されている排水管の洗浄方法、及び排水管洗浄装置に関し、特に、排水管を洗浄する経路に屈曲部が存在する場合の排水管洗浄方法及びガイド管に関する。
【背景技術】
【０００２】
マンションやオフィスビルなどの高層建物は、各階を貫通する大径の排水管に、各階の室内に通じる小径の横枝管を接続し、流し台での排水や洗面所・浴室・トイレ等の設備からの排水を横枝管から排水管に流している。このような生活排水には、多量の汚物や油脂等の残渣が含まれており、これらが排水管の内壁に固着して管径を実質的に減少させることで排水効率を低下させている。
【０００３】
このため、使用開始から長年経過した後においても高層建物における排水管の排水効率を、洗浄あるいは取り替え工事をすることなく、完全に回復させることができるようにするために、高層建物の内部を上下方向に配管された排水管に並行して、排水管と同じ管径の通気管を配管するという提案がある（例えば、特許文献１）。
【０００４】
この提案では、高層建物の竣工後に長年経過して排水管が汚物の付着などで使用に耐えなくなった場合には、通気管を排水管として使用することにより、排水管の排水効率を完全に回復することができるが、この様な通気管を排水管に併設する構成はコストが高くなるため、一般的には、一定期間ごとに排水管の残渣物を洗浄で取り除いている。
【０００５】
高層ビルの排水管の共用部分である排水管の洗浄方法としては、洗浄水を加圧して供給可能な水供給源を地上に配置して、水供給源に接続されて高圧洗浄水を噴射可能なホースを排水管の下部から挿入し、排水管の上部からこのホースをワイヤで引き上げながら、排水管の下部側から洗浄する方法がある（例えば、特許文献２）。
【０００６】
また、先端に洗浄ヘッドを取り付けたホースを、排水管の上部に設けられ屋上に開口している通気口から排水管の最下部に降ろし、洗浄ヘッドから高圧洗浄水を噴射させて排水管内に付着している固形物を取り除きながら、ホースを上部へ引き上げる方法もある（例えば、特許文献３）。
【０００７】
ホースを引き上げながら排水管を洗浄する方法は、取り除いた付着物が下方へ落下する際にホースが邪魔にならず、特に４０階以上の高層建物に対して有効な方法である。
【０００８】
図１０は、このような従来の高層建物の排水管洗浄方法及びその装置の一例を説明する図であり、高圧洗浄水をホースの先端に設けた洗浄ヘッドから噴射させ、ホースを引き上げながら排水管を下部から上部に向かって洗浄する様子を示している。
【０００９】
図１０において、高層建物３００は、各階へ分岐する横枝管３０８及び通気口３１０を備えた排水管３０４を設置しており、排水管３０４の上部から屋上３０２に突出して開口している通気口３１０には、通常、カバーがされている。
【００１０】
排水管洗浄作業を行う場合には、高層建物３００の屋上３０２には、先端に洗浄ヘッド２０６を取り付けたホース２０４及びモータにより駆動するドラム２１０を備えた排水管洗浄装置２００を配置する。
【００１１】
洗浄時には、通気口３１０のカバーを取り外して、ドラム２１０に１又は複数回、巻き回したホース２０４を通気口３１０から配水管３０４の最下部まで挿入し、ホース２０４の先端に取り付けられた洗浄ヘッド２０６から高圧の洗浄水を噴射させて、排水管３０４の最下部から付着物を取り除く。
【００１２】
洗浄水は、図示しない高圧洗浄水供給装置からホース２０４に供給され、モータによるドラム２１０の回転により、ホース２０４を巻き上げながら洗浄ヘッド２０６を上方へ引き上げる。この引き上げ速度を一定にするために、モータ駆動によりドラム２１０を一定の回転速度で回転させ、ドラム２１０に１又は複数回、巻き回したホース２０４を、ドラム２１０との摩擦力により巻き上げて洗浄ヘッド２０６を上方へ引き上げている。
【先行技術文献】
【特許文献】
【００１３】
【特許文献１】特開平７−１８７１０号公報
【特許文献２】特開２０１１−４２９８４号公報
【特許文献３】特開２００１−３４２６６１号公報
【発明の概要】
【発明が解決しようとする課題】
【００１４】
高圧洗浄水を噴射して排水管内に付着した汚物等を取り除く方法（特許文献２、３）においては、排水管が複数存在している場合、各々の排水管が直線状に独立し、排水管の最上部（屋上の開口位置）に通気口が設けられている場合、ホースを排水管内で屈曲せずに直線的に移動させることができる。
【００１５】
しかし、複数の排水管を上部で連結し通気口を共用しているような場合には、排水管の連結部分は、ティー（Ｔ型管）を用いてＴ字状に分岐させたりエルボ（Ｌ型管）を用いてＬ字状に屈曲させたりするため、通気口から配水管までの配管経路は、複数回屈曲した構造となる。
【００１６】
そのため、排水管を洗浄するには、ホースも排水管の屈曲部に沿って屈曲させなければならず、ホースを移動させるには、ホースが排水管の屈曲部内壁の角部に当たって擦れ、摩擦が大きくなりホースの引き上げに大きな力が必要となる。
【００１７】
また高層建物の排水管洗浄においては、ホースを排水管の最下部まで降ろして高圧水を噴射して洗浄を開始する場合には、相当な重量となる。例えば１メートル当たり１Ｋｇとすると、４０階の約１２０ｍでは１２０Ｋｇ、５０階の約１５０ｍでは１５０Ｋｇ、６０階の約１８０ｍでは１８０Ｋｇとなる。このため、排水管の屈曲部を通過しているホースには、例えば１００Ｋｇを超える重量が加わり、加えて高圧洗浄水の圧力がかかることでホースが直線形状を維持しようと硬くなり、排水管の屈曲部を通るホースの抵抗が大幅に増加し、洗浄ヘッドから洗浄水を噴射しながらホースを引き上げることが極めて困難となる。
【００１８】
その場合、無理にホースを引き上げるとホースを損傷させてしまい、損傷が著しい場合にはホースが破壊してしまうという問題が生ずる。
【００１９】
本発明は、屋上の通気口を持つ排水管に屈曲部が存在しても、排水管の洗浄に使用するホースが円滑に移動できるようにした高層建物の排水管洗浄方法及びガイド管を提供することを目的とする。
【課題を解決するための手段】
【００２０】
（高層建物の排水管洗浄方法）
本発明は、高層建物の上下方向に配管され、屈曲部を介して高層建物の屋上に開口した通気口に連通する排水管を、先端に洗浄ヘッドを設けたホースを通気口から挿入し、ホースを排水管内で上下に移動させながら高圧洗浄水を洗浄ヘッドから噴射して洗浄する高層建物の排水管洗浄方法に於いて、
通気口から屈曲部を介して上下方向の直線部（立て管部）に至る経路にフレキシブルなガイド管を挿入して保持し、
ホースを、ガイド管の中を通して排水管の直線部へ挿入し、
ホースを、高圧洗浄水を洗浄ヘッドから噴射させながら移動して排水管を洗浄する、
ことを特徴とする。
【００２１】
ここで、ガイド管は、管外面を低摩擦化して前記排水管に対する挿入抵抗を低減すると共に、管内面を低摩擦化して前記ホースの通過抵抗を低減する。
【００２２】
ガイド管は、後端部側に、ワイヤの操作により先端の向きを操作する操作部を備える。
【００２３】
ガイド管は、内周面にボール列を配置した複数の環状支承体を、可撓性チューブにより連続して連結する。
【００２４】
ガイド管は、内周面にボール列を配置した複数の環状支承体を、可撓性チューブにより連続して連結する。
【００２５】
ガイド管は、複数の環状支承体の軸方向に設けた１又は複数の貫通孔の各々に挿通配置した操作ワイヤを進退操作して、ガイド管の先端を操向する。
【００２６】
ガイド管は、可撓性を有する材料で形成された蛇腹構造を有し、蛇腹構造の内壁及び外壁を低摩擦化コーティングする。
【００２７】
ガイド管は、蛇腹構造の大径部に金属リングを埋設する。
【００２８】
（ガイド管）
本発明は、高層建物の屋上に開口した排水管の通気口から屈曲部を介して上下方向の直線部に至る経路に挿入して保持し、先端に洗浄ヘッドを設けたホースを通過させるガイド管に於いて、
排水管に挿入可能な所定の外径と排水管の通気口から屈曲部を介して直線部に至る所定の長さを持つフレキシブルな管本体と、
管本体の外周面を低摩擦化して排水管に対する挿入抵抗を低減する外部低摩擦部と、
管本体の内周面を低摩擦化してホースの通過抵抗を低減する内部低摩擦部と、
を備えたことを特徴とする。
【００２９】
本発明のガイド管の他の特徴は、前述した高層建物の排水管洗浄方法におけるガイド管と基本的に同様となる。
【発明の効果】
【００３０】
本発明によれば、排水管の上部に屈曲部があっても、ガイド管を配水管の通気口から屈曲部を介して上下の直線部（立て管部）まで挿入して保持し、そのガイド管を通して排水管内にホースを挿入することから、ホースが排水管の屈曲部の内壁と直接接触することがなく、また、ガイド管の内面は低摩擦化してあるため、排水管の屈曲部ではホースが上下に移動する際の摩擦抵抗を大幅に低減し、ホースを排水管内で滑らかに移動することができることから、効率良く洗浄作業を行うことができ、また、ホース移動部の負荷も低減する。
【００３１】
またガイド管の外周面も低摩擦化してあるため、排水管の屈曲部を通過するようにガイド管を通す場合の摩擦抵抗を低減し、ガイド管を排水管内で滑らかに移動することから、ガイド管の挿入作業が容易にできる。
【００３２】
またガイド管を排水管の通気口から屈曲部を通して立て管部に挿入する場合、ガイド管の後端部の操作部によるワイヤの操作でガイド管の先端の向きを操作できるため、一つの通気口に複数の排水管を分岐接続している場合であっても、そのうちの洗浄を行う排水管側にガイド管の先端を向けることで簡単且つ容易に屈曲部に通して挿入することができる。
【図面の簡単な説明】
【００３３】
【図１】本発明による高層建物の排水管洗浄方法及びその装置の実施形態を示す説明図
【図２】図１のガイド管の実施形態を示す説明図
【図３】図２のガイド管の先端側を示す説明図
【図４】図２のガイド管の操作部を示す説明図
【図５】図１の排水管の屈曲部におけるホースの状態を示す説明図
【図６】図１のガイド管の他の実施形態を示す説明図
【図７】図６の低摩擦化機構ユニットの構造を示す説明図
【図８】図６のガイド管の操向機能を示す説明図
【図９】図１のガイド管の他の実施形態を示す説明図
【図１０】従来の高層建物の排水管洗浄方法の一例を示す説明図
【発明を実施するための形態】
【００３４】
図１は、本発明による高層建物の排水管洗浄方法の実施形態を説明する図であり、屈曲部のある排水管において、高圧洗浄水をホースの先端に設けた洗浄ヘッドから噴射させ、ホースを引き上げながら排水管を下部から上部に向かって洗浄する様子を示している。
【００３５】
図１に示すように、高層建物１００には、複数の排水管１０４が配置され上部を連結して通気管１１２の通気口１１０に連通している。排水管１０４には、各階ごとに横枝管１０８が接続され、下端は地下に埋設した横主管１１４に接続されている。
【００３６】
通気口１１０は、高層建物１００の屋上１０２に設置されて、通常はカバーで覆われているが、排水管１０４の洗浄時にはこのカバーを取り外す。通気口１１０から下方に通気管１１２が配管されており、途中の分岐部で横方向に分岐して排水管１０４へと通じている。
【００３７】
本実施形態においては、高層建物１００に設置された配水管１０４は２本であり、通気口１１０は１つであるが、排水管１０４や通気口１１０の数はこれに限定されず、本願発明は、３本以上の排水管１０４や２つ以上の通気口１１０、例えば、排水管４本に対して通気口１１０を２つ設けたような場合にでも適用できる。また、１本の排水管１０４に対する横枝管１０８の本数、すなわち高層建物１００の階数は任意である。
【００３８】
このような高層建物１００の排水管１０４を洗浄する際には、図１に示すように、高層建物１００の屋上１０２に排水管洗浄装置１０を配置する。排水管洗浄装置１０は、先端に高圧洗浄水を噴射する洗浄ヘッド１６を設けたホース１４、ホース１４を巻着したリール２０、リール駆動部１８で構成され、図示しない高圧洗浄水供給装置から線浄水の供給を受けている。
【００３９】
ホース１４は、リール２０に例えば２００メートル分巻き回しており、リール２０はモータや減速装置で構成したリール駆動部１８により駆動し、ホース１４の排水管１０４への引き下しと引き上げを行う。この動作によりホース１４の先端に設けた洗浄ヘッド１６が上下し、高圧の洗浄水を噴射して排水管１０４を洗浄する。
【００４０】
なお、図１の排水管洗浄装置１０は本願出願人が提案している装置を例示しているが、図７に示した従来の排水管洗浄装置２００を使用しても良い。
【００４１】
高層建物１００の排水管１０４が直線的な形状とは限らず、図１に示すように、複数本の排水管１０４が設置されて通気口１１０を共有する場合は、排水管１０４の上部においてティーやエルボを使用して通気管１１２の途中を分岐したり直角に曲げたりして配管を共通化している。
【００４２】
そのため、通気口１１０からホース１４を挿入すると、ホース１４は排水管１０４の屈曲部、すなわち通気管１１２の内壁の角部に当たって摩擦が生じ、特に排水管の長さが１００ｍ以上になる場合は、ホース１４の重さも１００〜２００ｋｇ以上と重くなり、この荷重によってホース１４に作用する摩擦力も大きくなる。
【００４３】
この摩擦力を低減するため、本願発明においては、ホース１４を挿入する前に、フレキシブルなガイド管２２を通気口１１０から排水管１０４の屈曲部を通して直線部まで挿入し、ガイド管２２を保持した状態でガイド管２２の後端部からホース１４を挿入している。
【００４４】
本発明の排水管洗浄方法で使用するガイド管２２は、管外面を低摩擦化して排水管１０４に対する挿入抵抗を低減すると共に、管内面を低摩擦化してホース１４の通過抵抗を低減するようにしている。
【００４５】
即ち、ガイド管２２は、排水管１６に挿入可能な所定の外径と排水管１０４の通気口１１０から屈曲部を介して直線部に至る所定の長さを持つフレキシブルな管本体と、管本体の外周面を低摩擦化して排水管１０４に対する挿入抵抗を低減する外部低摩擦部と、管本体の内周面を低摩擦化してホース１４の通過抵抗を低減する内部低摩擦部とで構成する。
【００４６】
またガイド管２２は、後端側に、ワイヤの操作により先端の向きを操作する操作部を備える。
【００４７】
このように排水管１０４の通気口１１０から屈曲部を介して直線部までガイド管２２を挿入して保持し、その中にホース１４を通すことで、ホース１４が排水管１０４の屈曲部を通る場合でも、屈曲部の角部に接触することはなく、ガイド管２２の内部に設けた低摩擦化部によって移動が円滑に行える。
【００４８】
図２は、図１のガイド管２２の一実施形態を説明する図であり、図２（Ａ）は外観を示し、図２（Ｂ）は軸方向の断面を示している。また図３は先端側を取出しており、図３（Ａ）に外観を示し、図３（Ｂ）に軸方向の断面を示し、図３（Ｃ）に先端から見た端面を示している。更に図４はガイド管後端側の操作部を示している。
【００４９】
ガイド管２２は、フレキシブルな管本体となる可撓性チューブ（フレキシブルチューブ）２４を有する。可撓性チューブ２４は、例えば排水管の内径を１００ｍｍとした場合、その外径を４６ｍｍ程度とし、その肉厚を２〜３ｍｍ程度とし、更に内径を、内部にホース先端の洗浄ヘッド及び動画を撮像する小型の撮像装置（カメラユニット）を通すに十分な寸法としている。なお、撮像装置は、ガイド管２２を排水管の屈曲部に挿入する場合に、可撓性チューブ２４の先端側に挿入配置して管内の映像をモニタしながら挿入する操作を行うために使用する。
【００５０】
また可撓性チューブ２４はポリエチレン等の合成樹脂で形成し、通気口から排水管の屈曲部を通して直線部まで挿入することを可能とする柔軟性と剛性をもち、更に、内周部及び外周部には、フッ素樹脂等をコーティングして内部低摩擦部及び外部低摩擦部を構成し、摩擦係数を小さくしている。
【００５１】
ガイド管２２の先端の向きを操作するため、可撓性チューブ２４の先端外周にヘッドリング４０を固定し、ヘッドリング４０の後方に所定距離を離してベースリング４２を固定している。ヘッドリング４０及びベースリング４２は、可撓性チューブ２４の外径を４６ｍｍとした場合、その外径を６０ｍｍ程度とし、内径１００ｍｍの排水管に容易に挿入可能な外径としている。ヘッドリング４０とベースリング４２の間隔は１０〜２５０ｍｍ程度である。可撓性チューブ２４の後端には３本の支持ポール４８により所定距離を離して連結した一対のフランジ４４，４６を固定し、フランジ４６の後端側に操作部を設けている。
【００５２】
ヘッドリング４０には端面から見て１２０°の角度位置に３本の操作ワイヤ３６ａ，３６ｂ，３６ｃの先端を固定部材４１によりねじ止め固定している。操作ワイヤ３６ａ〜３６ｃはそれぞれベースリング４２の通し穴４３、フランジ４４の通し穴４５及びフランジ４６の通し穴４７を通して後端側に引き出し、そこに図４に示すように、操作部として機能する操作ハンドル５０ａ，５０ｂ，５０ｃを取り付けている。
【００５３】
ガイド管２２の先端の向きの操作は、操作ハンドル５０ａ，５０ｂ，５０ｃにより操作ワイヤ３６ａ，３６ｂ，３６ｃを進退操作することで、先端のヘッドリング４０の向きを変えて可撓性チューブ２４の先端側を自由に屈曲できる。例えばハンドル５０ａにより操作ワイヤ３６ａを引くと、図２（Ａ）に示すように、ベースリング４２側を支点としてヘッドリング４０が４０ａに示すように上方に移動して可撓性チューブ２４の先端側を上方に屈曲できる。操作ハンドル５０ａ，５０ｂ，５０ｃのそれぞれを単独で引いた場合は、各操作ワイヤ３６ａ，３６ｂ，３６ｃの固定部が位置する外側方向にヘッドリング４０を移動し、可撓性チューブ２４の先端側を屈曲できる。また操作ハンドル５０ａ，５０ｂ，５０ｃの内、隣り合う２つの操作ハンドルを同時に同じ量又は異なった量を引いた場合には、２本の操作ワイヤの固定部の間となる任意の外側方向にヘッドリング４０を移動し、可撓性チューブ２４の先端側を自由に屈曲できる。
【００５４】
なお、操作ワイヤ３６ａ〜３６ｃの操作によりガイド管２２の先端の向きを操作する操作部は、上記の操作ハンドル５０ａ〜５０ｃのように人手により直接引く操作以外に、ハンドル回転操作などで操作ワイヤ３６ａ〜３６ｃの巻き取り量と巻き出し量を調整してガイド管２２の先端の向きを操作するような操作機構としても良い。
【００５５】
図５は、図１の排水管１０４の屈曲部におけるホース１４の状態を説明する図であり、排水管１０４とガイド管２２の断面を示している。図５（Ａ）は従来の方法、図５（Ｂ）は本発明による排水管洗浄装置を使用した場合である。
【００５６】
図５（Ａ）に示す従来の方法では、単にホース１４を排水管１０４の屈曲部１０４ａの形状に沿って挿入するため、ホース１４はその荷重によって屈曲部１０４ａの内壁に圧接することで移動時に大きな摩擦力が発生し、円滑な移動の妨げとなっている。
【００５７】
そのため、ホース１４の移動時、特に引き上げ時に大きな動力が必要となり、洗浄作業が困難となるばかりでなく、摩擦力の発生が著しい場合にはホース１４を損傷させてしまうこともある。
【００５８】
それに対し、ホース１４の排水管１０４への挿入に本願発明を適用した場合は、図５（Ｂ）に示すように、ホース１４は、既にガイド管２２が屈曲部１０４ａに挿入されている状態でガイド配管２２の中を通して挿入される。ガイド管２２は、ホース１４が荷重によって圧接されてもフッ素樹脂コーティング等により摩擦係数を小さくしているため、大きな摩擦力の発生が抑えられている。
【００５９】
図６は、図１のガイド管２２の他の実施形態を説明する図であり、ガイド管２２の軸方向の一部分を切り取り、更に周方向を部分断面として示している。図６に示すように、ガイド管２２は、管本体となる可撓性チューブ（フレキシブルチューブ）２４の内壁に環状の低摩擦化機構ユニット２６を連続して固定している。
【００６０】
連続する低摩擦化機構ユニット２６の各々は、可撓性チューブ２４の屈曲に伴って隣接する低摩擦化機構ユニット２６に対して傾斜することが可能であり、従って、ガイド管２２は自由に屈曲でき、排水管１０４の屈曲部にも挿入可能となる。
【００６１】
図７は、図６の低摩擦化機構ユニット２６の構造を説明する図であり、後述する図８の断面Ａ−Ａを示している。図７に示すように、低摩擦化機構ユニット２６は、環状支承体２８、ボール列３０、リテーナ３２で構成し、可撓性チューブ２４の内壁に固定している。
【００６２】
環状支承体２８の内面側に配置したボール列３０は複数のボールで構成し、バネ性を有するリテーナ３２を内側から環状支承体２８に押し付け、ボール列３０を保持している。ここで、可撓性チューブ２４の外径は６０〜１００ｍｍ程度、低摩擦化機構ユニット２６の内径は３０〜７０ｍｍ程度である。
【００６３】
本実施形態においては、更に、環状支承体２８に設けた貫通孔３４に挿通した３本の操作ワイヤ３６の各々を、ガイド管２２の後端側（通気口１１０側）から進退操作することでガイド管２２の先端位を操向する機能を備え、ガイド管２２を通気口１１０から通気管１１２に挿入する際に、分岐部や屈曲部を通過し易くしている。
【００６４】
図８は、図６のガイド管２２の操向機能を説明する図であり、ガイド管２２の先端位の軸方向の断面を示している。図８に示すように、ガイド管２２の先端にはホース１４を延出させる開口を備えた先端３８を設けている。
【００６５】
先端３８に固定された操作ワイヤ３６は、各低摩擦化機構ユニット２６の環状支承体２８に設けた貫通孔３４に、軸方向に移動可能に挿通し、ガイド管２２の後端側まで伸延している。
【００６６】
操作ワイヤ３６を、ガイド管２２の後端側から矢印方向Ｆに引く操作をすると、先端３８の操作ワイヤ３６を固定してある箇所から隣接する低摩擦化機構ユニット２６が順次接近することで先端３８が操向し、ガイド管２２の先端位は、引く操作をした操作ワイヤ３６側を内側にして屈曲する。
【００６７】
本実施形態において、ガイド管２２の操向機能は操作ワイヤ３６を３本設けることで何れの方向にも操向可能としているが、操作ワイヤ３６は３本に限らず、それ以外の本数でも構わない。例えば、操作ワイヤ３６が１本の場合、操作ワイヤ３６では一方向にしか屈曲できないが、その屈曲状態でガイド管２２自体を軸方向に回転させることで、何れの方向にも操向することができる。
【００６８】
図９は、図１のガイド管２２の他の実施形態として蛇腹構造のガイド管６０を説明する図であり、ガイド管６０の軸方向の一部分を切り取り、更に周方向を部分断面として示している。
【００６９】
図９に示すように、ガイド管６０は、ポリエチレン等の合成樹脂で形成し、大径部６０ａと小径部６０ｂによる蛇腹構造をとることで屈曲が容易な形状となっているため、排水管１０４の屈曲部にも挿入可能であり、更に、内周部及び外周部にはフッ素樹脂等をコーティングして摩擦係数を小さくしている。また、ガイド管６０は、大径部６０ａに金属リング６２を埋設することで、構造的な強度を増すことができる。
【００７０】
次に本発明による排水管洗浄方法について、図１を参照して詳細に説明する。
【００７１】
高層建物１００の排水管１０４を洗浄する際には、まず、屋上１０２に排水管洗浄装置１０を配置し、屋上１０２に開口している通気口１１０から洗浄対象とする例えば図示右側の排水管１０４まで通気管１１２にガイド管２２を挿入し、ガイド管２２の後端部によって保持する。
【００７２】
ガイド管２２を、通気管１１２を通して排水管１０４に挿入する場合には、モニタ装置に信号ケーブルで接続している撮像装置をガイド管２２の中を通して先端に配置し、この状態で撮像装置の画像をモニタ装置の画面で見ながらガイド管２２を挿入する。ガイド管２２の先端が排水管１０４の屈曲部に近づいたら、例えば図４に示した操作ハンドル５０ａ〜５０ｃの操作によりガイド管２２の先端を屈曲方向に向けるように操向し、これによりガイド管２２を排水管１０４に屈曲部があっても滑らかに挿入でき、ガイド管２２の先端を排水管１０４の屈曲部を越えた位置まで挿入する。ガイド管２２の挿入すんだら、信号ケーブルを引いて撮像装置をガイド管２２の中から引き出す。
【００７３】
次に、屋上１０２に設置した排水管洗浄装置１０から、リール駆動部１８によりリール２０を回転させることでホース１４を繰り出してガイド管２２へ挿入し、ホース１４の先端に設けた洗浄ヘッド１６が排水管１０４の下端部に到達した位置でリール２０を止める。
【００７４】
そして、高圧洗浄水をホース１４に供給し、洗浄ヘッド１６から高圧洗浄水を噴射させて排水管１０４に付着した汚物等の除去する洗浄を行う。
【００７５】
洗浄ヘッド１６から高圧洗浄水を噴射させながら、ホース１４をリール２０の回転により引き上げ、排水管１０４の下部から上部まで洗浄ヘッド１６を移動させて排水管１０４内の洗浄を行う。
【００７６】
更に、洗浄ヘッド１６を引き下しながら排水管１０４の上部から下部へ再度の洗浄を行うこともでき、汚れが著しい場合には、数回往復して洗浄を行ってもよい。また、排水管１０４の洗浄は、下部からに限らず上部から行ってもよく、汚れの状態等の状況に応じて適宜対応する。
【００７７】
排水管１０４の洗浄が済んだら、ホース１４を抜き取り、ガイド管２２を引き上げ取り外す。ガイド管２２を挿入した通気管１１２は、基本的には横枝管１０８からの汚水が通過しないため、洗浄する必要はあまりないが、ここを洗浄する必要がある場合は、ガイド管２２を挿入せずに、再度ホースを通気管１１２に通して、ガイド管２２が挿入されていた部分に高圧洗浄水を噴射する。
【００７８】
図示右側の排水管１０４の洗浄が完了したら、ホース１４及びガイド管２２を抜き取り、図示左側の排水管１０４の洗浄を、同様の手順で行う。
【００７９】
なお、上記の実施形態にあっては、ガイド管を排水管に挿入する場合に、小型の撮像装置をガイド管の中を通してガイド管先端に配置し、モニタ装置で撮像装置の画像を見ながらガイド管を挿入し、挿入後に撮像装置を抜き出すようにしているが、ホース先端の洗浄ヘッド１６側に小型の撮像装置を取り付け、この撮像装置で撮影した動画画像を外部のモニタ装置に送るように構成し、ガイド管２２を挿入する場合に、撮像装置付きの洗浄ヘッド１６をホース１４によりガイド管２２に入れ、モニタ画面でガイド管２２の先端の画像を見ながらガイド管２２の先端の向きを操作して排水管の屈曲部に挿入する作業を行うようにしても良い。
【００８０】
また洗浄ヘッド１６側に設けた撮像装置により洗浄を行いながら排水管内の画像をモニタすることで、洗浄による洗浄の程度を確認し、適切な洗浄を行うことを可能とする。
【００８１】
また、本願発明は上記の実施形態に限定されず、その目的と利点を損なうことのない適宜の変形を含み、更に上記の実施形態に示した数値等による限定は受けない。
【符号の説明】
【００８２】
１０：排水管洗浄装置
１４：ホース
１６：洗浄ヘッド
１８：リール駆動部
２０：リール
２２，６０：ガイド管
２４：可撓性チューブ
３６，３６ａ〜３６ｃ：操作ワイヤ
４０：ヘッドリング
４２：ベースリング
５０ａ〜５０ｃ：操作ハンドル
１００：高層建物
１０２：屋上
１０４：排水管
１１０：通気口
１１２：通気管
【図１】
2013231338.tif 000003
【図２】
2013231338.tif 000004
【図３】
2013231338.tif 000005
【図４】
2013231338.tif 000006
【図５】
2013231338.tif 000007
【図６】
2013231338.tif 000008
【図７】
2013231338.tif 000009
【図８】
2013231338.tif 000010
【図９】
2013231338.tif 000011
【図１０】
2013231338.tif 000012